(57)【要約】【課題】付属品を収納する付属部に連設して、製品本体を収納する収納凹部を形成するものであって、中国等第一の場所から輸送の際は付属品箱の外寸法をできるだけ小さく収め、そして、日本等第二の場所で製品本体を装入する際に、付属品箱の包装を解くことなく付属品箱の一部を拡開して、製品本体を包装するための収納部を別個に形成できるようにする機能性に優れた段ボール包装箱を提供することを目的とする。【解決手段】段ボールから折り上げてなる段ボール包装箱であって、略直方体の形状をした付属部と、この付属部に折り曲げ可能に連設した主体部材とからなり、前記主体部材には前記付属部の稜に概略対応する位置に折り目を有し、前記付属部の側壁を被うように重ね折り可能とするとともに、前記主体部材には他の折り目を有し、この折り目の位置から折り上げることにより収納凹部を形成可能とすることを特徴とする段ボール包装箱。【選択図】      図４
2005297992.tif 000002
【特許請求の範囲】
【請求項１】
段ボールから折り上げてなる段ボール包装箱であって、
略直方体の形状をした付属部と、この付属部に折り曲げ可能に連設した主体部材とからなり、
前記主体部材には前記付属部の稜に概略対応する位置に折り目を有し、前記付属部の側壁を被うように重ね折り可能とするとともに、
前記主体部材には他の折り目を有し、この折り目の位置から折り上げることにより収納凹部を形成可能とすることを特徴とする段ボール包装箱。
【請求項２】
前記付属部の側壁には凹部を有し、重ね折りするときに前記凹部に前記主体部材を覆設可能とすることを特徴とする請求項１記載の段ボール包装箱。
【請求項３】
前記付属部の側壁を被うように重ね折りした付属品箱には、重ね折りした状態で主体部材と付属部とを貫通する貫通穴を有することを特徴とする請求項１記載の段ボール包装箱。
【請求項４】
前記付属部に主体部を連設する段ボール包装箱は、製品箱に挿着される中箱であって、
前記付属部には付属品を、前記主体部には電子機器本体を収納することを特徴とする請求項１記載の段ボール包装箱。
【請求項５】
前記稜と平行な方向の折り目および前記稜と直行する方向の折り目により辺を構成する長方形の折り目および傾斜折り目を折り上げることにより、前記収納凹部を形成することを特徴とする請求項１記載の段ボール包装箱。
【請求項６】
前記収納凹部は前記長方形の部分が底面となっていて、前記長方形の部分は前記付属部の稜に対応する折り目の一つ以上を跨いで構成されていることを特徴とする請求項５記載の段ボール包装箱。
【請求項７】
付属部材に前記主体部材が連設する前記段ボールは、一枚の段ボールから構成されることを特徴とする請求項１記載の段ボール包装箱。
【請求項８】
前記付属部材および前記主体部材は、それぞれ独立した段ボールから構成され、これらを連設することにより、段ボール包装箱を折り上げ可能とすることを特徴とする請求項１記載の段ボール包装箱。
【発明の詳細な説明】
【技術分野】
【０００１】
この発明は、製品本体と付属品を装入するための収納部を別個に形成する包装箱に関する。詳しくは、中国等第一の場所で製造された付属品が付属品箱に包装された状態で日本等第二の場所へ輸送された後、付属品箱を構成する一部材を拡開して、デジタルカメラ等電子機器の製品本体を包装するための収納部を形成できるようにする機能性に優れた段ボール包装箱に関する。
【背景技術】
【０００２】
最近では、主としてデジタルカメラ等電子機器の付属品は第一の場所で製造されている。その際、付属品は付属品箱に包装した状態で第二の場所へ輸送される。次いで、そのまま付属品箱の包装を解かずに、別個に形成された収納部にデジタルカメラ等電子機器の製品本体を追加装入した後、取り扱い説明書等を詰め込み製品箱として包装を完了する。
【０００３】
カメラの段ボール包装箱については、運搬と保管時に包装するのに好適な緩衝部材を一体成型した考案が先に提案されている（特許文献１）。
【０００４】
【特許文献１】実用登録第３００９９５８号公報
【発明の開示】
【発明が解決しようとする課題】
【０００５】
デジタルカメラ等電子機器の生産のように、単純な各種付属部品を第一の場所で製造し、一方、付加価値の高いカメラ本体を第二の場所で製造する場合は、以下に示すように包装上の問題を抱えている。
【０００６】
即ち、従来の段ボール包装箱の問題点の第一は、第一の場所から輸送する付属品箱は、製品本体の収納スペースをも含むため、箱の外寸法が大きくなりがちである。この場合、付属品箱は後で追加装入する製品本体の空の分だけ輸送の占有スペースが増え、その分輸送費用がかかり不経済である。また、航空便の場合は製品コストの内、デリバリイ費用の占める割合が大きくなる。
【０００７】
問題点の第二に、第一の場所から輸送する付属品箱の強度が弱く、輸送の途中で潰される恐れがある。
【０００８】
そこで、本発明は、上記事情に鑑みて、付属品を収納する付属品箱の大きさをできるだけ縮小した状態で第一の場所から輸送し、第二の場所で製品本体を装入する際に、付属品箱の一部を拡開して製品本体の収納部を形成できるように工夫したものである。即ち、付属品を収納する付属部に連設して、製品本体を収納する収納凹部を形成するものであって、第一の場所から輸送の際は付属品箱の外寸法をできるだけ小さく収め、そして、付属品箱の包装を解くことなく製品本体を包装するための収納部を別個に形成できるようにする機能性に優れた段ボール包装箱を提供することを目的とする。
【課題を解決するための手段】
【０００９】
上記目的を達成するために、請求項１の発明は、段ボールから折り上げてなる段ボール包装箱であって、略直方体の形状をした付属部と、この付属部に折り曲げ可能に連設した主体部材とからなり、前記主体部材には前記付属部の稜に概略対応する位置に折り目を有し、前記付属部の側壁を被うように重ね折り可能とするとともに、前記主体部材には他の折り目を有し、この折り目の位置から折り上げることにより収納凹部を形成可能とすることを特徴とする。
【００１０】
請求項２の発明は、請求項１の発明の上記特徴に加えて、前記付属部の側壁には凹部を有し、重ね折りするときに前記凹部に前記主体部材を覆設可能とすることを特徴とする。
【００１１】
請求項３の発明は、請求項１の発明の上記特徴に加えて、前記付属部の側壁を被うように重ね折りした付属品箱には、重ね折りした状態で主体部材と付属部とを貫通する貫通穴を有することを特徴とする。
【００１２】
請求項４の発明は、請求項１の発明の上記特徴に加えて、前記付属部に主体部を連設する段ボール包装箱は、製品箱に挿着される中箱であって、前記付属部には付属品を、前記主体部には電子機器本体を収納することを特徴とする。
【００１３】
請求項５の発明は、請求項１の発明の上記特徴に加えて、前記稜と平行な方向の折り目および前記稜と直行する方向の折り目により辺を構成する長方形の折り目および傾斜折り目を折り上げることにより、前記収納凹部を形成することを特徴とする。
【００１４】
請求項６の発明は、請求項５の発明の上記特徴に加えて、前記収納凹部は前記長方形の部分が底面となっていて、前記長方形の部分は前記付属部の稜に対応する折り目の一つ以上を跨ぐことを特徴とする。
【００１５】
請求項７の発明は、請求項１の発明の上記特徴に加えて、付属部材に前記主体部材が連設する前記段ボールは、一枚の段ボールから構成されることを特徴とする。
【００１６】
請求項８の発明は、請求項１の発明の上記特徴に加えて、前記付属部材および前記主体部材は、それぞれ独立した段ボールから構成され、これらを連設することにより、段ボール包装箱を折り上げ可能とすることを特徴とする。
【００１７】
ここで、本明細書でいう「主体部」とは、デジタルカメラ等電子機器の製品本体を装入するための収納部をいう。
【００１８】
「付属部」とは、デジタルカメラ等電子機器の各種付属部品であるアダプター、コネクター、バッテリー、ケーブル、接続コード等をコンパクトに装入するための収納部をいう。
【００１９】
また、「段ボール包装箱」とは付属部に主体部が連設した構成で、主体部にデジタルカメラ等電子機器の製品本体を収納した後、中箱として一式製品箱に挿着されるものである。
【発明の効果】
【００２０】
本発明にかかわる段ボール包装箱によれば、デジタルカメラ等電子機器を包装するにあたり、第一の場所の工場で製造された付属品が包装されて第二の場所へ輸送された後、付属品箱に連設して製品本体を収納するための収納凹部を形成できるようにしたもので実用性に優れるものである。即ち、第一の場所からの輸送の際は付属品が収納された付属品箱の外寸法をできるだけ小さく重ね折りし、そして、第二の場所で製品本体を包装する際は、付属品箱の一部を拡開することにより、付属品箱の包装を解くことなく製品本体を包装するための収納部を別個に形成できるようにした機能性に優れた効果を奏するものである。付属品箱は内方に付属品を収納する凹部を有し、重ね折りする際に塞がれるので付属品の脱落を防止でき、また、貫通穴を有するので外から欠品等の確認をすることができる。そして、主体部材を別個の段ボールから切り取り、楔などにより付属部と連設することも可能であり、原料の段ボールから効率的な取り個数を実現できるものである。
【発明を実施するための最良の形態】
【００２１】
本発明の実施の形態を、添付図面に示した本発明の実施例に基づいて以下に具体的に説明する。
【実施例１】
【００２２】
先ず、本発明の実施例１について、図１〜図６を参照しながら説明する。図１は、本発明実施例１の段ボール包装箱の展開図で、段ボール１００Ａである。図２は、同上、折上げ途中の付属部５０１Ａと主体部材２００Ａの展開図の斜視図である。図３は、同上、付属部５００Ａと主体部材２００Ａの展開図の斜視図である。図４は、同上、付属部５００Ａに主体部４００Ａが連設した状態を示す斜視図である。図５は、同上、折上げ完了後の付属品箱６００Ａの斜視図である。図６は、同上、付属部５００Ａに連設した主体部４００Ａを製品箱８００へ挿着した状態を示す斜視図である。
【００２３】
ほぼ矩形状をした段ボール１００Ａは、図１に示すように、上下方向に主折り目Ｋを介して付属部材３００Ａに主体部材２００Ａが連設する。ここで、付属部材３００Ａを折上げることにより、デジタルカメラの各種付属部品を装入するための付属部が形成され、一方、主体部材２００Ａを折上げることにより、カメラのボデイ本体を装入するための収納凹部が形成されることは他の実施例についても同様である。段ボール１００Ａには、所定の複数箇所に折り目や切れ目等を設けてあるので、それらの設け方について以下に説明する。先ず、付属部材３００Ａについて説明する。図１に示すように、付属部材３００Ａは、上から平行な五本の折り目Ｄ、折り目Ｅ、折り目Ｆおよび折り目Ｊを備えている。そして、これらの折り目を介して、中央部を占める方形域の上から順に側壁１Ａ、側壁２Ａ、側壁３Ａおよび側壁４Ａがそれぞれ連設する。一方、上記の折り目とは直角方向の折り目Ｇ、折り目Ｈを介して側壁２Ａの左右に左右側壁６Ａと左右側壁７Ａが連設する。他に、左右方向は切れ目Ｘと切れ目Ｗを備えている。次に、主体部材２００Ａについて説明する。付属部材３００Ａと主体部材２００Ａは、主折り目Ｋを境目とする。主体部材２００Ａは、上から折り目Ｌ、折り目Ｍ、折り目Ｎおよび折り目Ｔを介して、方形域の上から順に支柱片５Ａ、側壁１０Ａ、底面１１Ａ、側壁１２Ａおよび支柱片１３Ａがそれぞれ連設する。そして、底面１１Ａの左右は、左右の折り目Ｐを介してそれぞれ左右側壁１５Ａが連設する。側壁１０Ａの左右は、傾斜折り目Ｒを介して折り畳み片１４Ａが連設する。同様に、側壁１２Ａの左右は、傾斜折り目Ｓを介して折り畳み片１６Ａが連設する。なお、図には省略したが、主体部材２００Ａは左右対称なので、折り畳み片は左右同じ部品番号とする。また、底面１１Ａと左右側壁１５Ａは、これらを上下に二分割するように、折り目Ｕを備えており、この折り目Ｕは後述する付属品箱６００Ａを折上げる際の折り目となる。
【００２４】
後で詳しく作用を述べるが、上記した一部の壁と片は二つの機能を持つことが本実施例の特徴である。即ち、付属品箱６００Ａを折上げる際は二重の側壁となり、一方、主体部４００Ａを形成する支柱片を兼ねる。
【００２５】
なお、図中の点線は折り目を示す。また、付属部材３００Ａに設けられた中央矩形部の上方外部と一部左右外部の各種形状の片は、折上げの途中で付属部５００Ａの内方へ折り曲げられて各種付属品の収納部を形成する。一方、円形、矩形、四半円形と細長いスリット状の切抜き穴は、付属品箱の中を確認するための覗き穴である。中でも複数の円形のものは貫通穴２１Ａである。以上は、他の実施例についても同様である。
【００２６】
以下に、段ボール１００Ａを折上げる手順について説明する。
【００２７】
先ず、付属部材３００Ａを折上げることにより、カメラの各種付属部品を装入するための直方体状の付属部５００Ａを形成する手順について説明する。図１に示す左右側壁６Ａと左右側壁７Ａをそれぞれ折り目Ｇと折り目Ｈの位置から内方へ、側壁２Ａと直角になるまで折り曲げ、次いで、側壁１Ａを内方へ側壁２Ａと直角になるまで折り曲げる。次いで、段ボール１００Ａが切れ目Ｗと切れ目Ｘの位置で切れているので、前後側片８Ａと前後側片９Ａを折り目Ｆの位置から内方へ折り曲げる。このようにして、図２に示すように、側壁２Ａを下にした状態で付属部５０１Ａが折り上がる。なお、この折上げの途中で、図１に示す側壁１Ａの上部の各種形状の片は、付属部５０１Ａの内方へ折り曲げられ、後述する各種の付属部品の収納部を形成する。他の実施例についても同様である。
【００２８】
その後、側壁３Ａは折り目Ｆの位置から折り曲げられ、前後側片８Ａと前後側片９Ａに合着する。次いで、側壁４Ａを折り目Ｊの位置から内方へ折り曲げ、係止片２０Ａを係合切れ目Ｖに嵌め込むことにより、付属部５０１Ａの蓋を閉じる。側壁２Ａを上にした状態を図３に示すように、主折り目Ｋを介して、付属部５００Ａに主体部材２００Ａが連設する。
【００２９】
次に、主体部材２００Ａを主折り目Ｋの位置から折曲げることにより、デジタルカメラの本体を装入するための主体部４００Ａを形成する。その手順について図３を参照しながら説明する。先ず、支柱片５Ａを主折り目Ｋの位置から折り曲げ、側壁１Ａに合着する。そして、付属部５００Ａの側壁２Ａを上にした状態で、折り目Ｍと折り目Ｎの位置で、底面１１Ａの上下の前後側片１０Ａと前後側片１２Ａを、底面１１Ａが下へ凹むように折り曲げる。同時に、左右の折り目Ｐの位置で、左右側片１５Ａを内方へ折り曲げるとともに、傾斜折り目Ｒと傾斜折り目Ｓに沿って折り曲げることにより、左右両方の折畳み片１４Ａと折畳み片１６Ａが前後側片１０Ａと前後側片１２Ａにそれぞれ合着する。このようにして、図４に示すように、主折り目Ｋを介して付属部５００Ａに連設して主体部４００Ａが形成される。また、この主体部４００Ａの中央部に、凹みを有する収納凹部４０１Ａが形成される。ここで、図１でも示したように、底面１１Ａは折り目Ｍ、折り目Ｎおよび左右の折り目Ｐによって辺を構成する長方形の折り目によって形成される収納凹部４０１Ａの底となる。この長方形は付属部５００Ａの稜に対応する折り目Ｕを跨いで構成されており、所定の大きさの電子機器本体等を収納可能となっている。このように中央に折り目Ｕを備えていても、折り上げたとき、図４に示すように、収納凹部４０１Ａは長方形状の底面１１Ａの左右が直角に立ち上がる左右側面１５Ａとともに断面がコの字状に構成されるので、折り目Ｕの位置から折れ曲がることもなく確実に電子機器本体等を保持することが可能となる。なお、この実施例では折り目の一つを跨ぐように構成したが、これに限定されず、複数の折り目を跨ぐようにしてより大きな機器に対応可能としても良いことは勿論である。なお、支柱片１３Ａを折り目Ｔの位置から外方下へ折り曲げることにより、支柱片５Ａとともに主体部４００Ａを下から支えるための支柱を形成する。以上、実施例２についても同様である。
【００３０】
以上のようにして折上げられた主体部４００Ａと付属部５００Ａを、図４に示した状態のまま製品箱８００へ挿着する。この状態を図６に示す。付属部５００Ａの中には、既に、中国等第一の場所で製造された製品の各種付属部品例えば、デジタルカメラのアダプター、バッテリー、コネクター、ケーブル、接続コード等が装入されている。中でも、付属品部５００Ａの側壁２Ａ部に形成される凹部５０２Ａには、充電器を収納し、後述する付属品箱６００Ａを形成する過程で、凹部５０２Ａは側片等によって覆設されるので脱落しない。他の実施例についても同様である。そして、主体部４００Ａの収納凹部４０１Ａにデジタルカメラの本体を装入する。
【００３１】
以上のように、主体部材２００Ａを折上げることにより、製品本体を装入する主体部４００Ａが形成されることが本発明の一つの実施態様である。また、付属部５００Ａの外周を被うように主体部材２００Ａを折上げることにより、付属品箱６００Ａが形成されることが他の実施態様である。この折上げ方について説明する。主体部材２００Ａには付属部５００Ａの稜に概略対応する位置に折り目を有し、付属部５００Ａの側壁を被うように重ね折りする。稜に概略対応する位置に折り目を有することは他の実施例についても同様である。図３の状態からスタートし、主折り目Ｋの位置から折り曲げ、前後側面５Ａを、付属部５００Ａの側壁１Ａに合着する。次に、前後側片１０Ａと底面１１１Ａを一側片として、折り目Ｌの位置から折り曲げ、側壁２Ａに合着する。順次、底面１１２Ａと前後側片１２Ａを一側片として、折り目Ｕの位置から折り曲げ、側壁３Ａに合着する。最後に、折り目Ｔの位置で、支柱片１３Ａを内方へ折り曲げて側壁４Ａに合着する。このようにして、図５に示すような付属品箱６００Ａが完成する。なお、図示する円形の複数の貫通穴２１Ａは重ね折りされる際に段ボール１００Ａの円形の穴が重なってできるもので、この貫通穴２１Ａを覗くことにより付属品箱６００Ａの内方に収納されている付属品の欠品等を確認することができる。他の実施例についても同様である。また、付属部５００Ａに支柱片１３Ａを係止させる手段（不図示）を適宜設けても良い。即ち、支柱片１３Ａが開くのを防ぐために、この支柱片１３Ａの先端部に係止片を設け、そして、これに位置が対応するように、付属部５００Ａの箇所に係止孔を設けることにより、これらを係合させることも可能である。後述する実施例２についても同様である。なお、実施例３については、後述する側片１７Ｃに係止片を設ければ良い。
【００３２】
以上のように構成され、次に作用について説明する。
【００３３】
図４に示すように、主折り目Ｋを介して付属部５００Ａに、主体部４００Ａが連設している。このとき、主体部４００Ａには、支柱片５Ａと支柱片１３Ａが下方から支柱として作用し、収納凹部４０１Ａが浮いた状態になる。このように、二箇所の支柱の間に空間が形成されるので、この空間が緩衝体として作用し、精密機器であるデジタルカメラ本体を安全に収納することができる。この場合、支柱片５Ａと支柱片１３Ａは支柱として機能するが、一方、付属品箱６００Ａのような使い方をする場合は、それぞれ付属部５００Ａを二重に被う側壁となり、この付属品箱の側壁を補強する。同様に、前後側片１０Ａと底面１１１Ａと底面１１２Ａおよび前後側片１２Ａは、収納凹部４０１Ａを形成する一方、付属品箱６００Ａを二重に被う側壁となる。
【００３４】
このように、一枚の段ボール１００Ａから、多機能を有する段ボール製の包装箱が形成される。図４に示す付属部５００Ａおよびこれに主折り目Ｋを介して連設した主体部４００Ａの状態で、そっくり製品箱８００に挿着される。ここで、付属部５００Ａには、第一の場所で付属品が既に装入済みであり、取り扱い説明書が追加装入され、販売ルートへ移る。他の実施例についても同様である。
【００３５】
図３の状態において、付属部５００Ａに付属品のみを装入した段階では、主体部材２００Ａは、余分の部材である。しかしながら、付属部５００Ａの外周を被うように主体部材２００Ａを折上げることにより、コンパクトに折上げられた付属品箱６００Ａへと姿形を変える。他の実施例についても同様である。
【実施例２】
【００３６】
次に、本発明の実施例２について、図７〜図１０を参照しながら説明する。図７は、段ボール包装箱の展開図で、段ボール１００Ｂである。図８は、同上、折上げ途中の付属部５０１Ｂと主体部材２００Ｂの展開図の斜視図である。図９は、同上、付属部５００Ｂと主体部材２００Ｂの展開図の斜視図である。図１０は、同上、付属部５００Ｂに主体部４００Ｂが連設した状態を示す斜視図である。
【００３７】
本実施例の実施例１との主たる相違点は、主体部の収納凹部を形成する前後側片を片側しか設けないところにある。
【００３８】
ほぼ矩形状をした段ボール１００Ｂは、図７に示すように、上下方向に主折り目Ｋを介して付属部材３００Ｂに主体部材２００Ｂが連設する。段ボール１００Ｂには、所定の複数箇所に折り目や切れ目等を設けてあるので、それらの設け方について以下に説明する。先ず、付属部材３００Ｂについて説明する。図７に示すように、付属部材３００Ｂは、上から平行な五本の折り目Ｄ、折り目Ｅ、折り目Ｆおよび折り目Ｊを備えている。そして、これらの折り目を介して、中央部を占める方形域の上から順に側壁１Ｂ、側壁２Ｂ、側壁３Ｂおよび側壁４Ｂがそれぞれ連設する。一方、上記の折り目とは直角方向の折り目Ｇ、折り目Ｈを介して側壁２Ｂの左右に左右側壁６Ｂと左右側壁７Ｂが連設する。他に、左右方向は切れ目Ｘと切れ目Ｗを備えている。次に、主体部材２００Ｂについて説明する。付属部材３００Ｂと主体部材２００Ｂは主折り目Ｋを境目とする。主体部材２００Ｂは、上から折り目Ｍ、折り目Ｎ、折り目Ｔを介して、方形域の上から順に支柱片５Ｂ、底面１１Ｂ、側壁１２Ｂおよび支柱片１３Ｂがそれぞれ連設する。そして、底面１１Ｂの左右は、左右の折り目Ｐを介してそれぞれ左右側壁１５Ｂが連設する。同様に、側壁１２Ｂの左右は、傾斜折り目Ｓを介して折り畳み片１６Ｂが連設する。また、底面１１Ｂと左右側壁１５Ｂは、これらを上下に二分割するように、折り目Ｕを備えており、この折り目Ｕは後述する付属品箱６００Ｂ（不図示）を折上げる際の折り目となる。
【００３９】
後で詳しく作用を述べるが、上記した一部の壁と片は二つの機能を持つことが本実施例の特徴である。即ち、付属品箱６００Ｂ（不図示）を折上げる際は二重の側壁となり、一方、主体部４００Ｂを形成する支柱片を兼ねる。
【００４０】
以下に、段ボール１００Ｂを折上げる手順について説明する。
【００４１】
先ず、付属部材３００Ｂから実施例１と同様に折り上げることにより、図８に示すように側壁２Ｂを下にした状態の付属部５０１Ｂが折り上がる。
【００４２】
その後、実施例１と同様に折り目Ｆの位置から順次折り曲げ、係止片２０Ｂを係合切れ目Ｖに嵌め込むことにより、付属部５０１Ｂの蓋を閉じる。側壁２Ｂを上にした状態を図９に示すように、主折り目Ｋを介して付属部５００Ｂに、主体部材２００Ｂが連設する。
【００４３】
次に、主体部材２００Ｂを主折り目Ｋの位置から折曲げることにより、デジタルカメラの本体を装入するための主体部４００Ｂを形成する。その手順について図９を参照しながら説明する。先ず、支柱片５Ｂを主折り目Ｋの位置から付属部５００Ｂの下側へ折り曲げ、下側の側壁４Ｂに合着する。そして、付属部５００Ｂの側壁３Ｂを上にした状態で、底面１１Ｂを折り目Ｍの位置で外方へ直角に折り曲げるとともに、折り目Ｎの位置で、前後側片１２Ｂを、底面１１Ｂが下へ凹むように上方へ折り曲げる。同時に、左右の折り目Ｐの位置で、左右側片１５Ｂを内方へ折り曲げるとともに、傾斜折り目Ｓに沿って折り曲げることにより、左右両方の折畳み片１６Ｂが前後側片１２Ｂにそれぞれ合着する。このようにして、図１０に示すように、主折り目Ｋを介して付属部５００Ｂに連設して主体部４００Ｂが形成される。また、この主体部４００Ｂの中央部に、凹みを有する収納凹部４０１Ｂが形成される。ここで、底面１１Ｂは折り目Ｍ、折り目Ｎおよび左右の折り目Ｐによって辺を構成する長方形の折り目によって形成される収納凹部４０１Ｂの底となる。なお、支柱片１３Ｂを折り目Ｔの位置から外方下へ折り曲げることにより、主体部４００Ｂを下から支えるための支柱を形成する。
【００４４】
以上のようにして折上げられた主体部４００Ｂと付属部５００Ｂを、図１０に示した状態のまま製品箱８００に挿着し、主体部４００Ｂの収納凹部４０１Ｂにデジタルカメラの本体を装入する。
【００４５】
以上のように、主体部材２００Ｂを折上げることにより、製品本体を装入する主体部４００Ｂが形成されることが本発明の一つの実施態様である。また、付属部５００Ｂの外周を被うように主体部材２００Ｂを折上げることにより、付属品箱６００Ｂ（不図示）が形成されることが他の実施態様である。この折上げ方について説明する。図９の状態からスタートし、支柱片５Ｂと底面１１１Ｂを一側片として、主折り目Ｋの位置から折り曲げ、付属部５００Ｂの側壁１Ｂに合着する。次に、底面１１２Ｂと前後側片１２Ｂを一側片として、折り目Ｕの位置から折り曲げ、側壁２Ｂに合着する。最後に、折り目Ｔの位置で、支柱片１３Ｂを内方へ折り曲げて側壁３Ｂに合着する。このようにして、付属品箱６００Ｂが完成する。
【００４６】
以上のように構成され、次に作用について説明する。
【００４７】
図１０に示すように、主折り目Ｋを介して付属部５００Ｂに、主体部４００Ｂが連設している。このとき、支柱片５Ｂおよび支柱片１３Ｂは下方から支柱として作用し、収納凹部４０１Ｂが浮いた状態になる。この場合、両支柱の間に空間が形成されるので、この空間が緩衝体として作用し、精密機器であるデジタルカメラ本体を安全に収納できる。このように支柱片５Ｂと支柱片１３Ｂは、主体部４００Ｂを支持する部材とし機能するが、一方、付属品箱６００Ｂ（不図示）としての使い方をする場合は、それぞれ付属部５００Ｂを二重に被う側壁となり、この付属品箱の側壁を補強する。同様に、支柱片５Ｂと底面１１１Ｂと底面１１２Ｂおよび前後側片１２Ｂは、収納凹部４０１Ｂを形成する一方、付属品箱６００Ｂを二重に被う側壁となる。
【００４８】
このように、一枚の段ボール１００Ｂから、多機能を有する段ボール製の包装箱が形成される。図１０に示す付属部５００Ｂおよびこれに主折り目Ｋを介して連設した主体部４００Ｂの状態で、そっくり製品箱８００へ挿着される。
【００４９】
図９に示す状態において、付属部５００Ｂに付属品のみを装入した段階では、主体部材２００Ｂは、余分の部材である。しかしながら、付属部５００Ｂの外周を被うように主体部材２００Ｂを折上げることにより、コンパクトに折上げられた付属品箱６００Ｂ（不図示）へと姿形を変える。
【００５０】
本実施例２では、主体部材には、収納凹部を形成する前後側片として、一方のみしか設けず、他方は付属部の側壁を兼用するので段ボールの使用量を削減できるとともに重さが軽くなる。
【実施例３】
【００５１】
次に、本発明の実施例３について、図１１〜図１４を参照しながら説明する。図１１は、段ボール包装箱の展開図で、段ボール１００Ｃである。図１２は、同上、折上げ途中の付属部５０１Ｃと主体部材２００Ｃの展開図の斜視図である。図１３は、同上、付属部５００Ｃと主体部材２００Ｃの展開図の斜視図である。図１４は、同上、付属部５００Ｃに主体部４００Ｃが連設した状態を示す斜視図である。
【００５２】
本実施例の実施例１および実施例２との主たる相違点は、主体部が支柱片および簡単な二枚の片からなる少数の片を折り曲げ構成されるところにある。
【００５３】
ほぼ矩形状をした段ボール１００Ｃは、図１１に示すように、上下方向に主折り目Ｋを介して付属部材３００Ｃに主体部材２００Ｃが連設する。段ボール１００Ｃには、所定の複数箇所に折り目や切れ目等を設けてあるので、それらの設け方について以下に説明する。先ず、付属部材３００Ｃについて説明する。図１に示すように、付属部材３００Ｃは、上から平行な五本の折り目Ｄ、折り目Ｅ、折り目Ｆおよび折り目Ｊを備えている。そして、これらの折り目を介して、中央部を占める方形域の上から順に側壁１Ｃ、側壁２Ｃ、側壁３Ｃおよび側壁４Ｃがそれぞれ連設する。一方、上記の折り目とは直角方向の折り目Ｇ、折り目Ｈを介して側壁２Ｃの左右に左右側壁６Ｃと左右側壁７Ｃが連設する。他に、左右方向は切れ目Ｘと切れ目Ｗを備えている。付属部材３００Ｃと主体部材２００Ｃとは、主折り目Ｋを境目とする。次に、主体部材２００Ｃについて説明する。主体部材２００Ｃは、折り目Ｍを介して支柱片５Ｃに頂片１８Ｃが連設し、これに折り目Ｑを介して側片１７Ｃが連設する。
【００５４】
後で詳しく作用を述べるが、上記した一部の壁と片は二つの機能を持つことが本実施例の特徴である。即ち、付属品箱６００Ｃ（不図示）を折上げる際は二重の側壁となり、一方、主体部４００Ｃを形成する支柱片となる。
【００５５】
以下に、段ボール１００Ｃを折上げる手順について説明する。
【００５６】
先ず、付属部材３００Ｃから実施例１と同様に折り上げることにより、図１２に示すように側壁２Ｃを下にした状態の付属部５０１Ｃが折り上がる。
【００５７】
その後、実施例１と同様に折り目Ｆの位置から順次折り曲げ、係止片２０Ｃを係合切れ目Ｖに嵌め込むことにより、付属部５０１Ｃの蓋を閉じる。側壁２Ｃを上にした状態を図１３に示すように、主折り目Ｋを介して付属部５００Ｃに主体部材２００Ｃが連設する。
【００５８】
次に、主体部材２００Ｃを主折り目Ｋの位置から折上げることにより、デジタルカメラの本体を装入するための主体部４００Ｃを形成する。先ず、支柱片５Ｃを主折り目Ｋの位置から、付属部５００Ｃの下側へ折り曲げ側壁４Ｃに合着する。次に、付属部５００Ｃの側壁３Ｃを上にした状態で、折り目Ｍの位置で、頂片１８Ｃを外方へ直角に折り曲げるとともに、更に折り目Ｑに沿って側片１７Ｃを斜め下方へ折り曲げる。このようにして、図１４に示すように、主折り目Ｋを介して付属部５００Ｃに連設して主体部４００Ｃが形成される。
【００５９】
以上のようにして折上げられた主体部４００Ｃと付属部５００Ｃを、図１４に示した状態のまま製品箱８００に挿着し、主体部４００Ｃの収納凹部４０１Ｃにデジタルカメラの本体を装入する。
【００６０】
以上のように、主体部材２００Ｃを折上げることにより、製品本体を装入する主体部４００Ｃが形成されることが本発明の一つの実施態様である。また、付属部材５００Ｃの外周を被うように主体部材２００Ｃを折上げることにより、付属品箱６００Ｃ（不図示）が形成されることが他の実施態様である。この折上げ方について説明する。図１３の状態からスタートし、支柱片５Ｃを、付属部材５００Ｃの側壁１Ｃに合着するように折り曲げる。次に、側片１７Ｃと頂片１８Ｃとを拡開した一側片を、折り目Ｍの位置から折り曲げ、側壁２Ｃに合着する。このようにして、付属品箱６００Ｃが完成する。
【００６１】
以上のように構成され、次に作用について説明する。
【００６２】
図１４に示すように、主折り目Ｋを介して付属部５００Ｃに、主体部４００Ｃが連設している。このとき、製品箱８００の内方側壁と内方底面および付属部の支柱片５Ｃおよび主体部の傾斜した側片１７Ｃで囲まれた部位に収納凹部４０１Ｃが形成される。また、支柱片５Ｃ、側片１７Ｃおよび頂片１８Ｃは、このように主体部の収納凹部を形成するが、一方、付属品箱６００Ｃ（不図示）としての使い方をする場合は、付属部５００Ｃを二重に被う側壁となり、付属品箱の側壁を補強する。
【００６３】
収納凹部４０１Ｃは製品箱８００の底面の上に形成されるので、デジタルカメラの本体は製品箱の底面に直置きとなる。しかしながら、この場合、デジタルカメラの本体をクッション材等で包んで収めることにより、収納凹部として十分機能する。
【００６４】
このように、一枚の段ボール１００Ｃから、多機能を有する段ボール製の包装箱が形成される。図１４に示す主体部４００Ｃおよびこれに主折り目Ｋを介して連設した付属部５００Ｃの状態で、そっくり製品箱８００へ挿着される。
【００６５】
本実施例３では、主体部には収納凹部を形成する三枚の片しか設けないので、段ボールの使用量を削減できるとともに重さが軽くなる。
【００６６】
以上、各実施例について、段ボール１００から折り上げられた付属品箱６００、そして、これの一部を拡開して段ボール包装箱７００を折り上げることについて説明したが、これらの三者の関係について補足説明する。図１５は、付属品箱から段ボール包装箱へ折り上げる手順を示す。同図（ａ）は付属品箱６００を、図（ｂ）は付属部５００に主体部材２００が連設した状態を、図（ｃ）は段ボール包装箱７００を示す。第一の場所で生産された電子機器の付属品は付属品箱６００の中に収納され、この状態で第二の場所である電子機器本体の生産工場に輸送される。そこでは、付属品の包装を解くことなく、付属品箱６００の一部を拡開し、その主体部材２００から、図（ｃ）に示すように付属部５００に連設して主体部４００が形成され、段ボール包装箱７００が完成する。
【００６７】
次いで、段ボール包装箱７００を中箱として使う方法について補足説明する。図１６は、電子機器の付属品および電子機器本体を製品箱へ包装する手順に関し、この手順を同図（ａ）、（ｂ）、（ｃ）、（ｄ）および（ｅ）に示す。図（ａ）では、先ず、矢印で示すようにデジタルカメラ等の電子機器本体９１を主体部４００の収納凹部４０１へ挿入し隙間にスペーサ９２を詰める。これをそっくり矢印に従って製品箱８００へ挿着する。次に、（ｂ）に示すように、付属部５００に備える所定の凹部へ残った付属品のバッテリー９３およびメモリーカード９４を装入する。同様に充電器９５を凹部５０２へ装入する。図（ｃ）には、製品箱８００の蓋の閉じ方を示す。即ち、製品箱８００の周壁部に連設して、製品箱蓋８１およびこの対向にフラップ８２とこの両側にサブフラップ８３および８４が連設する。これらのフラップを製品箱８００の内方へ折り込んだ状態を図（ｄ）に示す。前記フラップ８２が製品箱８００の中底を形成し、この凹みへ取り扱い説明書、チラシ、ソフトＣＤ等９６を矢印に従って装入する。このようにして、図（ｅ）に示すように、製品箱蓋８１を閉じることによって電子機器本体および付属品の包装を完了する。
【産業上の利用可能性】
【００６８】
各実施例では、一枚の段ボール１００から主体部４００と付属部５００とが連設して形成されるものとして説明したが、これに限定されず、例えば、付属部材３００と主体部材２００を独立して別個に切り取り、折り上げの開始あるいは途中で複数の楔等（不図示）によって繋ぎ合わせることでもよい。このように付属部材３００と主体部材２００を原料の段ボールから別個の段ボールとして切り取ることにより、それぞれの形状が簡単になるので、原料の段ボールから取り得る枚数が増え、コストダウウンに寄与するという効果がある。
【００６９】
また、各実施例では、デジタルカメラを製品箱に包装する場合について説明した。しかし、必ずしも、デジタルカメラに限定するものではない。通常の光学カメラや電気、電子機器等の包装のために使用することは充分可能である。
【図面の簡単な説明】
【００７０】
【図１】本発明実施例１の段ボール包装箱の展開図で、段ボール１００Ａである。
【図２】同上、折上げ途中の付属部５０１Ａと主体部材２００Ａの展開図の斜視図である。
【図３】同上、付属部５００Ａと主体部材２００Ａの展開図の斜視図である。
【図４】同上、付属部５００Ａに主体部４００Ａが連設した状態を示す斜視図である。
【図５】同上、折上げ完了後の付属品箱６００Ａの斜視図である。
【図６】同上、付属部５００Ａに連設した主体部４００Ａを製品箱８００へ挿着した状態を示す斜視図である。
【図７】本発明実施例２の段ボール包装箱の展開図で、段ボール１００Ｂである。
【図８】同上、折上げ途中の付属部５０１Ｂと主体部材２００Ｂの展開図の斜視図である。
【図９】同上、付属部５００Ｂと主体部材２００Ｂの展開図の斜視図である。
【図１０】同上、付属部５００Ｂに主体部４００Ｂが連設した状態を示す斜視図である。
【図１１】本発明実施例３の段ボール包装箱の展開図で、段ボール１００Ｃである。
【図１２】同上、折上げ途中の付属部５０１Ｃと主体部材２００Ｃの展開図の斜視図である。
【図１３】同上、付属部５００Ｃと主体部材２００Ｃの展開図の斜視図である。
【図１４】同上、付属部５００Ｃに主体部４００Ｃが連設した状態を示す斜視図である。
【図１５】付属品箱６００から段ボール包装箱７００を折り上げる手順を示す図である。
【図１６】電子機器の付属品および電子機器本体を製品箱８００へ包装する手順を示す図である。
【符号の説明】
【００７１】
１００Ａ〜１００Ｃ（１００）  段ボール
２００Ａ〜２００Ｃ（２００）  主体部材
３００Ａ〜３００Ｃ（３００）  付属部材
４００Ａ〜４００Ｃ（４００）  主体部
４０１Ａ〜４０１Ｃ（４０１）  収納凹部
５００Ａ〜５００Ｃ（５００）  付属部
５０１Ａ〜５０１Ｃ（５０１）  付属部
５０２Ａ〜５０２Ｃ（５０２）  凹部
６００Ａ〜６００Ｃ（６００）  付属品箱
７００  段ボール包装箱
８００  製品箱
８１  製品箱蓋
８２  フラップ
８３  サブフラップ
８４  サブフラップ
９１  電子機器本体
９２  スペーサ
９３  バッテリー
９４  メモリーカード
９５  充電器
９６  取り扱い説明書、チラシ、ソフトＣＤ等
１Ａ〜１Ｃ  側壁
２Ａ〜２Ｃ  側壁
３Ａ〜３Ｃ  側壁
４Ａ〜４Ｃ  側壁
５Ａ〜５Ｃ  支柱片
６Ａ〜６Ｃ  左右側壁
７Ａ〜７Ｃ  左右側壁
８Ａ〜８Ｃ  前後側片  
９Ａ〜９Ｃ  前後側片
１０Ａ  前後側片
１１Ａ、１１Ｂ（１１）  底面
１２Ａ、１２Ｂ  前後側片
１３Ａ、１３Ｂ  支柱片
１４Ａ  折畳み片
１５Ａ、１５Ｂ  左右側片
１６Ａ、１６Ｂ  折畳み片
１７Ｃ  側片
１８Ｃ  頂片
２０Ａ〜２０Ｃ  係止片
２１Ａ〜２１Ｃ（２１）  貫通穴
Ｄ  折り目
Ｅ  折り目
Ｆ  折り目
Ｇ  側折り目
Ｈ  側折り目
Ｋ  主折り目
Ｌ  折り目
Ｍ  折り目
Ｎ  折り目
Ｐ  側折り目
Ｑ  折り目
Ｒ  傾斜折り目
Ｓ  傾斜折り目
Ｔ  折り目
Ｕ  折り目
Ｖ  係合切れ目
Ｗ  切れ目
Ｘ  切れ目
Ｙ  切れ目
【図１】
2005297992.tif 000003
【図２】
2005297992.tif 000004
【図３】
2005297992.tif 000005
【図４】
2005297992.tif 000006
【図５】
2005297992.tif 000007
【図６】
2005297992.tif 000008
【図７】
2005297992.tif 000009
【図８】
2005297992.tif 000010
【図９】
2005297992.tif 000011
【図１０】
2005297992.tif 000012
【図１１】
2005297992.tif 000013
【図１２】
2005297992.tif 000014
【図１３】
2005297992.tif 000015
【図１４】
2005297992.tif 000016
【図１５】
2005297992.tif 000017
【図１６】
2005297992.tif 000018